(57)【要約】【課題】仮設トイレ本体と、仮設トイレ本体内に配設された水洗便器と、仮設トイレ本体が載置される架台と、架台内に配設された圧送装置と、圧送装置と汚水枡とを接続する圧送排水管とを備える圧送装置付き仮設トイレであって、圧送装置の保守に多大の時間と労力とを要さない仮設トイレを提供する。【解決手段】仮設トイレ本体と、仮設トイレ本体内に配設された水洗便器と、仮設トイレ本体が載置される架台と、架台内に配設された圧送装置と、圧送装置と汚水枡とを接続する圧送排水管とを備え、架台の側壁が着脱可能又は開閉可能である。【選択図】  図３
2004232266.tif 000002
【特許請求の範囲】
【請求項１】
仮設トイレ本体と、仮設トイレ本体内に配設された水洗便器と、仮設トイレ本体が載置される架台と、架台内に配設された圧送装置と、圧送装置と汚水枡とを接続する圧送排水管とを備え、架台の側壁が着脱可能又は開閉可能であることを特徴とする圧送装置付き仮設トイレ。
【請求項２】
圧送装置が載置される棚板が架台内に配設されていることを特徴とする請求項１に記載の圧送装置付き仮設トイレ。
【請求項３】
圧送排水管はフレキシブル管であることを特徴とする請求項１又は２に記載の圧送装置付き仮設トイレ。
【請求項４】
架台の側壁に形成された挿通部に圧送排水管が挿通されていることを特徴とする請求項１乃至３の何れか１項に記載の圧送装置付き仮設トイレ。
【請求項５】
前記挿通部は切り欠きであることを特徴とする請求項４に記載の圧送装置付き仮設トイレ。
【請求項６】
仮設トイレ本体の床又は架台の側壁に監視窓が形成されていることを特徴とする請求項１乃至５の何れか１項に記載の圧送装置付き仮設トイレ。
【発明の詳細な説明】
【０００１】
【発明の属する技術分野】
本発明は、圧送装置付き仮設トイレに関するものである。
【０００２】
【従来の技術】
仮設トイレ本体と、仮設トイレ本体内に配設された水洗便器と、仮設トイレ本体が載置される架台と、架台内に配設された圧送装置と、圧送装置と汚水枡とを接続する圧送排水管とを備える圧送装置付き仮設トイレが特許文献１に開示されている。
圧送装置付き仮設トイレには、便槽に汚物が堆積する汲み取り式仮設トイレが有する汚れ、臭気等の環境衛生上の問題が無い、重力水洗式仮設トイレが有する汚水枡への接続工事の工数増加、使用する排水管の管径増加と勾配とにより惹起される工事の妨げ、仮設トイレの移動困難性等の問題が無い、等の利点がある。
圧送装置は、一般に汚水圧送用電動式ポンプと、電動式汚物粉砕装置とを備えている。仮設トイレの便器から排出される汚物に混入した小石、釘等の硬質の異物や、新聞紙、タオル等の粉砕が困難な異物が圧送装置に流入すると、汚水圧送用電動式ポンプや電動式汚物粉砕装置が損傷し、修理、取り替え等、圧送装置の保守が必要となる。
【０００３】
【特許文献１】実開平４−９５９４３号公報
【０００４】
【発明が解決しようとする課題】
特許文献１の圧送装置付き仮設トイレには、圧送装置の保守時に、架台から仮設トイレ本体を分離する必要があり、圧送装置の保守に多大の時間と労力とを要するという問題がある。
本発明は上記問題に鑑みてなされたものであり、仮設トイレ本体と、仮設トイレ本体内に配設された水洗便器と、仮設トイレ本体が載置される架台と、架台内に配設された圧送装置と、圧送装置と汚水枡とを接続する圧送排水管とを備える圧送装置付き仮設トイレであって、圧送装置の保守に多大の時間と労力とを要さない仮設トイレを提供することを目的とする。
【０００５】
【課題を解決するための手段】
上記課題を解決するために、本発明においては、仮設トイレ本体と、仮設トイレ本体内に配設された水洗便器と、仮設トイレ本体が載置される架台と、架台内に配設された圧送装置と、圧送装置と汚水枡とを接続する圧送排水管とを備え、架台の側壁が着脱可能又は開閉可能であることを特徴とする圧送装置付き仮設トイレを提供する。
架台の側壁が着脱可能又は開閉可能であれば、架台から仮設トイレ本体を分離することなく、架台の側壁を取り外し又は開いて、架台内の圧送装置を保守することができる。従って、本発明に係る圧送装置付き仮設トイレは、圧送装置の保守に多大の時間と労力とを要さない。
【０００６】
本発明の好ましい態様においては、圧送装置が載置される棚板が架台内に配設されている。
棚板上に載置された圧送装置は地面に接触しないので、仮設トイレを移動させる際に架台を引きずっても、圧送装置は損傷しない。
【０００７】
本発明の好ましい態様においては、圧送排水管はフレキシブル管である。
圧送排水管がフレキシブル管であれば、圧送装置の保守時に、圧送排水管を取り付けたまま圧送装置を架台から取り出すことができ、或いは、更新した圧送装置を架台に戻す際に、予め圧送排水管を取り付けた圧送装置を架台に収納することができる。この結果、架台内での圧送装置からの圧送排水管の取り外し作業、或いは、架台内での圧送装置への圧送排水管の取付け作業が無くなり、圧送装置の保守作業の効率が向上する。
【０００８】
本発明の好ましい態様においては、架台の側壁に形成された挿通部に圧送排水管が挿通されている。
架台の側壁に形成された挿通部に圧送排水管が挿通されていれば、圧送装置の保守作業が仮設トイレ本体に及ばないので、前記保守作業の効率が向上する。
【０００９】
本発明の好ましい態様においては、前記挿通部は切り欠きである。
架台の側壁に形成された切り欠きに圧送排水管が挿通されていれば、圧送装置を架台から取り出す際に、圧送装置に付随して圧送排水管も架台から取り出されるので、圧送装置の保守作業の効率が向上する。
【００１０】
本発明の好ましい態様においては、仮設トイレ本体の床又は架台の側壁に監視窓が形成されている。
仮設トイレ本体の床又は架台の側壁に監視窓が形成されていれば、架台の外部から架台内の圧送装置の状態を随時監視することができ、ひいては適正タイミングで圧送装置を保守することができる。
【００１１】
【発明の実施の形態】
本発明の実施例に係る圧送装置付き仮設トイレを説明する。
図１〜４に示すように、圧送装置付き仮設トイレ１は、開閉ドア２ａを有する箱体の仮設トイレ本体２と、仮設トイレ本体２が載置される平面視矩形の架台３とを備えている。
仮設トイレ本体２の床２ｂ上に水洗便器４が載置固定されている。透明樹脂パネルで覆われた開閉可能な監視窓２ｃが床２ｂに形成されている。
【００１２】
架台３は、平面視矩形の枠体を形成する４枚の側壁３ａ、３ｂ、３ｃ、３ｄを備えている。側壁３ａ〜３ｄの周縁部は枠体の外側へ略直角に折り曲げられてフランジを形成している。側壁３ｂの上端と側壁３ｄの上端との間に２本の梁３ｅが差し渡されている。側壁３ａ〜３ｄの折り曲げられた上端が形成するフランジの上面と梁３ｅの上面とは面一にされている。
透明樹脂パネルで覆われた監視窓３ｆが側壁３ａに形成されている。側壁３ｃは、着脱可能に側壁３ｂ、３ｄにネジ止めされている。側壁３ｃの一部３ｃ′は残余部から切り離されており、上下に揺動開閉可能に残余部に取り付けられている。側壁３ｃの下縁に切り欠き３ｇ、３ｈが形成されている。側壁３ｃの一部３ｃ′の下縁に切り欠き３ｉが形成されている。
棚板５の一端が側壁３ｂの下部に固定され、他端が側壁３ｄの下部に固定されている。図５に示すように、棚板５は地面の約３ｃｍ上方に配設されている。
【００１３】
図３、４に示すように、汚物粉砕機付圧送ポンプ６が、棚板５上に載置され、２条のバンド７を用いて棚板５に固定されている。
エルボ状の管体８が、仮設トイレ本体２の床２ｂを貫通している。管体８の図示しない上端は水洗便器４に接続され、下端は汚物粉砕機付圧送ポンプ６から延びる蛇腹６ａに接続されている。蛇腹６ａは、接続バンド９を締め付けることにより管体８に固定されている。
一端が汚物粉砕機付圧送ポンプ６に接続されたフレキシブル圧送排水管１０が、架台３の側壁の一部３ｃ′の下縁に形成された切り欠き３ｉを通って、圧送装置付き仮設トイレ１外へ延びている。フレキシブル圧送排水管１０の他端は、蓋１００ａを除いて地中に埋設された排水枡１００に接続している。
図６に示すように、汚物粉砕機付圧送ポンプ６は、上端に係合する蓋６ｂにより密閉された貯留槽６ｃを有している。蓋６ｂは、後述するフィルターの上方に配設された点検口６ｂ′と点検口６ｂ′を閉じる蓋６ｂ″とを有している。貯留槽６ｃの側壁上部に形成された図示しない屎尿流入口に蛇腹６ａが接続されている。貯留槽６ｃ内に、水位検知スイッチ６ｄと、モーター６ｅと、モーター６ｅの出力軸の下端に接続されたポンプ６ｆと、モーター６ｅの出力軸の上端に接続されたカッター６ｇと、カッター６ｇを取り囲むフィルター６ｈとが配設されている。フィルター６ｈは前記屎尿流入口に接続されている。ポンプ６ｆから延びる内部圧送排水管６ｉが、蓋６ｂを貫通し、カップリング６ｊを介してフレキシブル圧送排水管１０に接続している。
【００１４】
圧送装置付き仮設トイレ１においては、水洗便器４から排出された洗浄水と屎尿とは、管体８と蛇腹６ａと貯留槽６ｃの側壁上部に形成された図示しない屎尿流入口とを通って汚物粉砕機付圧送ポンプ６のフィルター６ｈへ流入する。洗浄水はフィルター６ｈを通過して貯留槽６ｃへ流入し、固形物はフィルター６ｈ内に留まる。貯留槽６ｃ内の水位が水位検知スイッチ６ｄの設定水位を超えると、水位検知スイッチ６ｄの出力信号に基づいてモーター６ｅが始動する。ポンプ６ｆが作動し、貯留槽６ｃ内の洗浄水を内部圧送排水管６ｉを介してフレキシブル圧送排水管１０へ排出する。カッター６ｇが作動し、フィルター６ｈ内に留まった固形物を粉砕する。粉砕された固形物は洗浄水と共にフィルター６ｈを通過して貯留槽６ｃへ流入し、内部圧送排水管６ｉを介してフレキシブル圧送排水管１０へ排出される。
洗浄水と粉砕された固形物とは、フレキシブル圧送排水管１０を通って、排水枡１００へ圧送される。
【００１５】
保守要員は、監視窓２ｃ、３ｆから架台３内の汚物粉砕機付圧送ポンプ６を目視し、カップリング６ｊとフレキシブル圧送排水管１０との接続状態、貯留槽６ｃからの漏水の有無、貯留槽６ｃの破損の有無等を監視する。保守要員は又、汚物粉砕機付圧送ポンプ６から発生する異常音の有無、異常振動の有無等も監視する。保守要員は、汚物粉砕機付圧送ポンプ６に異常が見つかると、以下の手順で汚物粉砕機付圧送ポンプ６を保守する。
カッター６ｇに異物が詰まった場合や異物がフィルター６ｈ内に残留する場合には、保守要員は、モーター６ｅの図示しない電源を切り、監視窓２ｃを開き、監視窓２ｃから手を差し入れて汚物粉砕機付圧送ポンプ６の点検口６ｂ′の蓋６ｂ″を開き、点検口６ｂ′から手を差し入れて異物を除去し、点検口６ｂ′の蓋６ｂ″を閉じ、監視窓２ｃを閉じ、モーター６ｅの図示しない電源を入れる。
ポンプ６ｆ、カッター６ｇ等が故障した場合には、保守要員は、モーター６ｅの図示しない電源を切り、架台３の側壁３ｃを取り外し或いは側壁３ｃの一部３ｃ′を上方へ揺動させて開き、架台３内へ手を差し入れ、或いは架台３内へ上体を差し入れ、接続バンド９を緩めて管体８から蛇腹６ａを分離し、バンド７を外して汚物粉砕機付圧送ポンプ６を架台３から引き出し、フレキシブル圧送排水管１０から汚物粉砕機付圧送ポンプ６を分離し、新しい汚物粉砕機付圧送ポンプ６をフレキシブル圧送排水管１０に接続し、汚物粉砕機付圧送ポンプ６を架台３内に収納して棚板５に載置し、バンド７を締め付けて汚物粉砕機付圧送ポンプ６を棚板５に固定し、蛇腹６ａを管体８に接続し接続バンド９を締め付けて蛇腹６ａを管体８に固定し、架台３の側壁３ｃを取り付け、或いは側壁３ｃの一部３ｃ′を下方へ揺動させて閉じ、モーター６ｅの図示しない電源を入れる。
【００１６】
圧送装置付き仮設トイレ１においては、架台３の側壁３ｃが着脱可能であり、又側壁３ｃの一部３ｃ′が開閉可能なので、架台３から仮設トイレ本体２を分離することなく、架台３の側壁３ｃを取り外し或いは側壁３ｃの一部３ｃ′開いて、架台３内の汚物粉砕機付圧送ポンプ６を保守することができる。従って、圧送装置付き仮設トイレ１は、汚物粉砕機付圧送ポンプ６の保守に多大の時間と労力とを要さない。
【００１７】
圧送装置付き仮設トイレ１においては、棚板５が架台３内に配設されており、棚板５上に載置された汚物粉砕機付圧送ポンプ６は地面に接触しないので、圧送装置付き仮設トイレ１を移動させる際に架台３を引きずっても、汚物粉砕機付圧送ポンプ６は損傷しない。棚板５は地面の約３ｃｍ上方に配設されているので、地面上に小石等の障害物が存在していても、圧送装置付き仮設トイレ１の設置時或いは移動時に、棚板５は前記障害物に干渉せず、ひいては、汚物粉砕機付圧送ポンプ６は損傷しない。
【００１８】
圧送装置付き仮設トイレ１においては、フレキシブル圧送排水管１０を使用しているので、汚物粉砕機付圧送ポンプ６の整備、修理の際に、フレキシブル圧送排水管１０を取り付けたまま汚物粉砕機付圧送ポンプ６を架台３から取り出すことができ、或いは、更新した汚物粉砕機付圧送ポンプ６を架台３に戻す際に、予めフレキシブル圧送排水管１０を取り付けた汚物粉砕機付圧送ポンプ６を架台３に収納することができる。この結果、架台３内での汚物粉砕機付圧送ポンプ６からのフレキシブル圧送排水管１０の取り外し作業、或いは、架台３内での汚物粉砕機付圧送ポンプ６へのフレキシブル圧送排水管１０の取付け作業が無くなり、汚物粉砕機付圧送ポンプ６の保守作業の効率が向上する。
【００１９】
圧送装置付き仮設トイレ１においては、架台の側壁３ｃの一部３ｃ′に形成された切り欠き３ｉにフレキシブル圧送排水管１０が挿通されているので、側壁３ｃの一部３ｃ′を上方へ揺動させて開き、或いは側壁３ｃを架台３から取り外すと、切り欠き３ｉとフレキシブル圧送排水管１０の係合関係が解除されて、フレキシブル圧送排水管１０はフリーになる。従って、汚物粉砕機付圧送ポンプ６が架台３から取り出されると、汚物粉砕機付圧送ポンプ６に付随してフレキシブル圧送排水管１０も架台３から取り出される。この結果、汚物粉砕機付圧送ポンプ６の保守作業の効率が向上する。
【００２０】
圧送装置付き仮設トイレ１においては、仮設トイレ本体２の床２ｂに監視窓２ｃが形成され、架台３の側壁３ａに監視窓３ｆが形成されているので、保守要員は、架台３の外部から、架台３内の汚物粉砕機付圧送ポンプ６の状態を随時監視することができ、ひいては適正タイミングで汚物粉砕機付圧送ポンプ６を保守することができる。
【００２１】
圧送装置付き仮設トイレ１においては、水洗便器４と汚物粉砕機付圧送ポンプ６とを接続する管体８を配設したので、水洗便器４から排出された汚水を、臭気を外部へ漏らすことなく且つ確実に、汚物粉砕機付圧送ポンプ６へ流入さることができる。
汚物粉砕機付圧送ポンプ６に蛇腹６ａを設けたので、汚物粉砕機付圧送ポンプ６の設置位置の自由度が高い。また蛇腹６ａを伸縮させて、汚物粉砕機付圧送ポンプ６と管体８とを容易に着脱することができる。
側壁３ａ〜３ｄの折り曲げられた上端が形成するフランジの上面と梁３ｅの上面とが面一にされているので、仮設トイレ本体２を安定して架台３へ載置することができる。
【００２２】
図３に一点鎖線で示すように、架台３の側壁３ｃに形成した穴３ｊにフレキシブル圧送排水管１０を挿通しても良い。架台３の側壁３ｃに形成された穴３ｊにフレキシブル圧送排水管１０が挿通されていれば、汚物粉砕機付圧送ポンプ６の保守作業が仮設トイレ本体２に及ばないので、前記保守作業の効率が向上する。
【００２３】
バンド７に代えて、図７に示すように、押えフック１１を用いて汚物粉砕機付圧送ポンプ６を棚板５に固定しても良い。押えフック１１のネジ穴を長穴とし、押えフック１１を矢印方向へスライド可能にしておけば、汚物粉砕機付圧送ポンプ６の棚板５への固定作業、棚板５からの取り外し作業が容易になる。
図８に示すように、架台３の梁３ｅから吊り下げた棚板５′に汚物粉砕機付圧送ポンプ６を載置固定しても良い。
【００２４】
フレキシブル圧送排水管１０を、蛇腹構造にしても良い。フレキシブル圧送排水管１０が伸縮自在となり、架台３からの汚物粉砕機付圧送ポンプ６の取り外し作業、架台３への汚物粉砕機付圧送ポンプ６の取り付け作業の効率が向上する。
水洗便器４は洋式でも和式でも良い。
【００２５】
【発明の効果】
上記説明から分かるように、本発明に係る圧送装置付き仮設トイレにおいては、架台の側壁が着脱可能又は開閉可能なので、架台から仮設トイレ本体を分離することなく、架台の側壁を取り外し又は開いて、架台内の圧送装置を保守することができる。従って、本発明に係る圧送装置付き仮設トイレは、圧送装置の保守に多大の時間と労力とを要さない。
【図面の簡単な説明】
【図１】本発明の実施例に係る圧送装置付き仮設トイレの全体斜視図である。
【図２】本発明の実施例に係る圧送装置付き仮設トイレの部分斜視図である。
【図３】本発明の実施例に係る圧送装置付き仮設トイレの架台の斜視図である。
【図４】本発明の実施例に係る圧送装置付き仮設トイレの架台内部の斜視図である。
【図５】本発明の実施例に係る圧送装置付き仮設トイレの架台の部分断面図である。
【図６】本発明の実施例に係る圧送装置付き仮設トイレが備える汚物粉砕機付圧送ポンプの断面図である。
【図７】本発明の他の実施例に係る圧送装置付き仮設トイレの架台内部の部分斜視図である。
【図８】本発明の他の実施例に係る圧送装置付き仮設トイレの架台内部の斜視図である。
【符号の説明】
１  圧送装置付き仮設トイレ
２  仮設トイレ本体
３  架台
４  水洗便器
５、５′  棚板
６  汚物粉砕機付き圧送ポンプ
６ｃ  貯留槽
６ｅ  モーター
６ｆ  ポンプ
６ｇ  カッター
６ｈ  フィルター
７  バンド
８  管体
９  接続バンド
１０  フレキシブル圧送排水管
１１  押えフック
【図１】
2004232266.tif 000003
【図２】
2004232266.tif 000004
【図３】
2004232266.tif 000005
【図４】
2004232266.tif 000006
【図５】
2004232266.tif 000007
【図６】
2004232266.tif 000008
【図７】
2004232266.tif 000009
【図８】
2004232266.tif 000010